(57)【特許請求の範囲】
【請求項１】
装置本体と、
前記装置本体の上方に設けられ、利用者による入力操作および利用者への表示が行われる操作表示面を有する操作表示部と、
一端部が前記操作表示部の背面に接続されるとともに、他端部が前記装置本体の上面に接続され、前記操作表示面が前記装置本体の正面側を向くように前記操作表示部を支持する支持部材と、を備えた画像形成装置において、
前記操作表示部の背面に、前記支持部材の一端部と接続する操作表示部側接続部を複数設けるとともに、前記装置本体の上面に、前記支持部材の他端部と接続する装置本体側接続部を複数設け、
前記操作表示部が前記装置本体の前面より前方および後方の双方の位置を取り得るよう、前記装置本体側接続部を、前記装置本体の上面の前後方向に複数設けるとともに、
前記支持部材は、前記操作表示部を水平軸周りに回動させて前記操作表示部の仰角を変更する回動支点を有し、
前記操作表示部の背面の下端部に弾性部材を備え、
前記操作表示部を前記装置本体の前面より前方に配置したときに、前記弾性部材と前記装置本体の前面とが当接することで前記操作表示部の回動範囲を規制することを特徴とする画像形成装置。
【請求項２】
前記操作表示部が前記装置本体の前面より前方に位置するときに、前記操作表示部の下端部が前記装置本体の上面より下方に位置するよう、前記操作表示部側接続部を、前記操作表示部の背面の上下方向に複数設けたことを特徴とする請求項１に記載の画像形成装置。
【請求項３】
前記支持部材の一端部を覆うカバー部材を前記操作表示部の背面に備え、
前記カバー部材が、上下反転させた状態で前記操作表示部の背面に装着可能なことを特徴とする請求項１に記載の画像形成装置。
【請求項４】
装置本体と、
前記装置本体の上方に設けられ、利用者による入力操作および利用者への表示が行われる操作表示面を有する操作表示部と、
一端部が前記操作表示部の背面に接続されるとともに、他端部が前記装置本体の上面に接続され、前記操作表示面が前記装置本体の正面側を向くように前記操作表示部を支持する支持部材と、を備えた画像形成装置において、
前記操作表示部の背面に、前記支持部材の一端部と接続する操作表示部側接続部を複数設けるとともに、前記装置本体の上面に、前記支持部材の他端部と接続する装置本体側接続部を複数設け、
前記操作表示部が前記装置本体の前面より前方および後方の双方の位置を取り得るよう、前記装置本体側接続部を、前記装置本体の上面の前後方向に複数設けるとともに、
前記支持部材は、前記操作表示部を水平軸周りに回動させて前記操作表示部の仰角を変更する回動支点を有し、
前記操作表示部の背面の下端部に弾性部材を備え、
前記操作表示部を前記装置本体の前面より後方に配置したときに、前記弾性部材と前記装置本体の上面とが当接することで前記操作表示部の回動範囲を規制することを特徴とする画像形成装置。
【請求項５】
前記操作表示部が前記装置本体の前面より前方に位置するときに、前記操作表示部の下端部が前記装置本体の上面より下方に位置するよう、前記操作表示部側接続部を、前記操作表示部の背面の上下方向に複数設けたことを特徴とする請求項４に記載の画像形成装置。
【請求項６】
前記支持部材の一端部を覆うカバー部材を前記操作表示部の背面に備え、
前記カバー部材が、上下反転させた状態で前記操作表示部の背面に装着可能なことを特徴とする請求項４に記載の画像形成装置。
【請求項７】
装置本体と、
前記装置本体の上方に設けられ、利用者による入力操作および利用者への表示が行われる操作表示面を有する操作表示部と、
一端部が前記操作表示部の背面に接続されるとともに、他端部が前記装置本体の上面に接続され、前記操作表示面が前記装置本体の正面側を向くように前記操作表示部を支持する支持部材と、を備えた画像形成装置において、
前記操作表示部の背面に、前記支持部材の一端部と接続する操作表示部側接続部を複数設けるとともに、前記装置本体の上面に、前記支持部材の他端部と接続する装置本体側接続部を複数設け、
前記操作表示部が前記装置本体の前面より前方および後方の双方の位置を取り得るよう、前記装置本体側接続部を、前記装置本体の上面の前後方向に複数設け、
前記支持部材は、前記操作表示部を水平軸周りに回動させて前記操作表示部の仰角を変更する回動支点を有し、
前記操作表示部の背面の下端部に弾性部材を備え、
前記操作表示部を前記装置本体の前面より前方に配置したときに、前記弾性部材と前記装置本体の前面とが当接することで前記操作表示部の回動範囲を規制するとともに、前記操作表示部を前記装置本体の前面より後方に配置したときに、前記弾性部材と前記装置本体の上面とが当接することで前記操作表示部の回動範囲を規制することを特徴とする画像形成装置。
【発明の詳細な説明】
【技術分野】
【０００１】
本発明は、利用者による入力操作および利用者への表示をする操作表示部を備える画像形成装置に関する。
【背景技術】
【０００２】
従来、この種の画像形成装置においては、画像形成装置の使用状況に応じて操作表示部を複数個所設ける方法が提案されており、特に比較的高速、多機能な画像形成装置に用いられる操作表示部においては、その操作性および視認性を向上させるために大型のＬＣＤモジュール等を有し、且つ、装置本体の上面に突出する態様で装置本体の上面に支持する構成としたものが知られている（例えば、特許文献１参照）。
【発明の概要】
【発明が解決しようとする課題】
【０００３】
しかしながら、操作表示部が装置本体の上面に突出する構成とした場合、操作表示部が装置本体の上面よりも更に上部に位置するため、利用者の作業位置や姿勢（特に車椅子等に着座した姿勢）によっては、操作性および視認性が劣ってしまうという問題がある。
【０００４】
本発明はこのような問題を解決するためになされたもので、操作表示部の操作性および視認性に優れる画像形成装置を提供することを目的とする。
【課題を解決するための手段】
【０００５】
本発明に係る画像形成装置は、装置本体と、前記装置本体の上方に設けられ、利用者による入力操作および利用者への表示が行われる操作表示面を有する操作表示部と、一端部が前記操作表示部の背面に接続されるとともに、他端部が前記装置本体の上面に接続され、前記操作表示面が前記装置本体の正面側を向くように前記操作表示部を支持する支持部材と、を備えた画像形成装置において、前記操作表示部の背面に、前記支持部材の一端部と接続する操作表示部側接続部を複数設けるとともに、前記装置本体の上面に、前記支持部材の他端部と接続する装置本体側接続部を複数設け、前記操作表示部が前記装置本体の前面より前方および後方の双方の位置を取り得るよう、前記装置本体側接続部を、前記装置本体の上面の前後方向に複数設けるとともに、前記支持部材は、前記操作表示部を水平軸周りに回動させて前記操作表示部の仰角を変更する回動支点を有し、前記操作表示部の背面の下端部に弾性部材を備え、前記操作表示部を前記装置本体の前面より前方に配置したときに、前記弾性部材と前記装置本体の前面とが当接することで前記操作表示部の回動範囲を規制することを特徴とする。
また、本発明に係る画像形成装置は、装置本体と、前記装置本体の上方に設けられ、利用者による入力操作および利用者への表示が行われる操作表示面を有する操作表示部と、一端部が前記操作表示部の背面に接続されるとともに、他端部が前記装置本体の上面に接続され、前記操作表示面が前記装置本体の正面側を向くように前記操作表示部を支持する支持部材と、を備えた画像形成装置において、前記操作表示部の背面に、前記支持部材の一端部と接続する操作表示部側接続部を複数設けるとともに、前記装置本体の上面に、前記支持部材の他端部と接続する装置本体側接続部を複数設け、前記操作表示部が前記装置本体の前面より前方および後方の双方の位置を取り得るよう、前記装置本体側接続部を、前記装置本体の上面の前後方向に複数設けるとともに、前記支持部材は、前記操作表示部を水平軸周りに回動させて前記操作表示部の仰角を変更する回動支点を有し、前記操作表示部の背面の下端部に弾性部材を備え、前記操作表示部を前記装置本体の前面より後方に配置したときに、前記弾性部材と前記装置本体の上面とが当接することで前記操作表示部の回動範囲を規制することを特徴とする。
さらに、本発明に係る画像形成装置は、装置本体と、前記装置本体の上方に設けられ、利用者による入力操作および利用者への表示が行われる操作表示面を有する操作表示部と、一端部が前記操作表示部の背面に接続されるとともに、他端部が前記装置本体の上面に接続され、前記操作表示面が前記装置本体の正面側を向くように前記操作表示部を支持する支持部材と、を備えた画像形成装置において、前記操作表示部の背面に、前記支持部材の一端部と接続する操作表示部側接続部を複数設けるとともに、前記装置本体の上面に、前記支持部材の他端部と接続する装置本体側接続部を複数設け、前記操作表示部が前記装置本体の前面より前方および後方の双方の位置を取り得るよう、前記装置本体側接続部を、前記装置本体の上面の前後方向に複数設け、前記支持部材は、前記操作表示部を水平軸周りに回動させて前記操作表示部の仰角を変更する回動支点を有し、前記操作表示部の背面の下端部に弾性部材を備え、前記操作表示部を前記装置本体の前面より前方に配置したときに、前記弾性部材と前記装置本体の前面とが当接することで前記操作表示部の回動範囲を規制するとともに、前記操作表示部を前記装置本体の前面より後方に配置したときに、前記弾性部材と前記装置本体の上面とが当接することで前記操作表示部の回動範囲を規制することを特徴とする。
【０００６】
この構成により、支持部材と装置本体との接続位置を複数の装置本体側接続部から選択するとともに、操作表示部と支持部材との接続位置を複数の操作表示部側接続部から選択することにより、操作表示部の位置を移動することができるので、操作表示部の操作性と視認性を向上することができる。
【０００７】
したがって、操作表示部の操作性および視認性に優れる画像形成装置を提供することができる。
【０００８】
また、新たな部材を追加したり部材の交換等が必要ないため、コストアップが発生することがない。
【００１０】
この構成により、支持部材と装置本体との接続位置を複数の装置本体側接続部から選択することにより、操作表示部が装置本体の前面より前方および後方の双方の位置を取ることができるため、操作表示部の操作性と視認性を向上することができる。
【００１２】
この構成により、操作表示部と支持部材との接続位置を複数の操作表示部側接続部から選択することにより、操作表示部の位置を上下方向に移動することができるので、操作表示部の操作性と視認性を向上することができる。
この構成より、複雑な回動範囲規制機構を設けることなく簡単な構成で操作表示部の回転範囲を規制することができる。
また、操作表示部を装置本体の前面より前方に配置したときに、操作表示部の操作表示面を下方向へ向けることができるため、利用者が着座した状態での操作性および視認性を向上することができる。
また、操作表示部を装置本体の前面より後方に配置したときに、操作表示部の操作表示面を上方向へ向けることができるため、利用者が起立した状態での操作性および視認性を向上することができる。
【００１３】
本発明に係る画像形成装置は、前記操作表示部が前記装置本体の前面より前方に位置するときに、前記操作表示部の下端部が前記装置本体の上面より下方に位置するよう、前記操作表示部側接続部を、前記操作表示部の背面の上下方向に複数設けたことを特徴とする。
【００１４】
この構成により、操作表示部と支持部材との接続位置を複数の操作表示部側接続部から選択することにより、操作表示部の下端部が装置本体の上面より下方に位置することができるので、操作表示部の操作性と視認性を向上することができる。
【００２１】
本発明に係る画像形成装置は、前記支持部材の一端部を覆うカバー部材を前記操作表示部の背面に備え、前記カバー部材が、上下反転させた状態で前記操作表示部の背面に装着可能なことを特徴とする。
【００２２】
この構成により、新たな部材を準備することなく、カバー部材を上下反転させて操作表示部の背面に装着できるので、不要なコストアップを防止することができる。
【発明の効果】
【００２３】
本発明によれば、操作表示部の操作性および視認性に優れる画像形成装置を提供することができる。
【図面の簡単な説明】
【００２４】
【図１】本発明の第１の実施の形態に係る画像形成装置の外観を示す斜視図である。
【図２】本発明の第１の実施の形態に係る画像形成装置の概略構成図である。
【図３】本発明の第１の実施の形態に係る画像形成装置のＡＤＦの概略構成図である。
【図４】本発明の第１の実施の形態に係る画像形成装置のブロック図である。
【図５】本発明の第１の実施の形態に係る画像形成装置の画像形成部の構成図である。
【図６】本発明の第１の実施の形態に係る画像形成装置の操作表示部の取付け位置の一例を示す側面図である。
【図７】本発明の第１の実施の形態に係る画像形成装置の操作表示部の取付け位置の他の例を示す側面図である。
【図８】本発明の第２の実施の形態に係る画像形成装置の操作表示部の取付け位置の一例を示す側面図である。
【図９】本発明の第２の実施の形態に係る画像形成装置の操作表示部の取付け位置の他の例を示す側面図である。
【図１０】本発明の第３の実施の形態に係る画像形成装置の操作表示部の取付け位置の一例を示す側面図である。
【図１１】本発明の第３の実施の形態に係る画像形成装置の操作表示部の取付け位置の他の例を示す側面図である。
【発明を実施するための最良の形態】
【００２５】
以下、本発明の実施の形態について、図面を参照して説明する。
【００２６】
まず、構成について説明する。
【００２７】
（第１の実施の形態）
図１〜図３に示すように、画像形成装置である複写機２０の装置本体３０１の上面にはコンタクトガラス２２が設けられており、このコンタクトガラス２２に隣接する装置本体３０１の上面にはコンタクトガラス２２よりも小面積のスリットガラス１３１が設けられている。なお、スリットガラス１３１は、シートスルーＤＦ用コンタクトガラスと称されたり、または単にコンタクトガラスと称されることもある。
【００２８】
また、装置本体３０１の上部には自動原稿搬送装置としてのＡＤＦ２３が設けられており、このＡＤＦ２３は図示しないヒンジ機構を介してコンタクトガラス２２を開放および閉塞するように開閉自在になっている。ここで、コンタクトガラス２２は、コンタクトガラス２２上に載置され停止した状態の原稿を読取るためのものである。一方、スリットガラス１３１は、ＡＤＦ２３によって搬送される原稿を読取るためのものである。
【００２９】
また、ＡＤＦ２３は、積層原稿からなる原稿束Ｐが原稿面を上向きにして載置される原稿テーブル２４と、原稿テーブル２４に載置された原稿束Ｐから原稿を一枚ずつ分離して給紙する分離給紙部２５と、給紙された原稿を突き当て整合してスキューの矯正を行うとともに、整合後の原稿を引き出して搬送するレジスト部２６と、搬送される原稿を反転させて、原稿面をスリットガラス１３１側に向けて搬送するターン部２７と、原稿の表面画像をコンタクトガラス２２の下方に設けられた読取り部８１により読取らせる第１読取搬送部２８と、読取り終了後の原稿の裏面画像を読取る第２読取搬送部２９と、表裏の読取りが完了した原稿をＡＤＦ２３機外に排出する排紙部３０と、読取り完了後の原稿を積載保持するスタック部３１とを備えている。
【００３０】
また、ＡＤＦ２３は、図４に示すように、搬送動作を含む種々の駆動を行うピックアップモータ１０１、給紙モータ１０２、読取モータ１０３、排紙モータ１０４および底板上昇モータ１０５と、ＡＤＦ２３の一連の動作を制御するコントローラ１００とを備えている。
【００３１】
原稿テーブル２４のテーブル面には原稿の長さを検知する原稿長さ検知センサ３２、３３が設けられており、この原稿長さ検知センサ３２、３３は反射型センサ、または、１枚の原稿でも検知可能なアクチェータータイプのセンサ等から構成され、原稿の搬送方向の長さを検知して検知信号をコントローラ１００に出力するようになっている。したがって、原稿長さ検知センサ３２、３３は少なくとも同一原稿サイズの縦か横かを判断可能なように原稿テーブル２４のテーブル面に配置されている。
【００３２】
また、原稿テーブル２４の先端（原稿搬送方向下流側）には可動テーブル３４が設けられている。可動テーブル３４は底板上昇モータ１０５によって矢印ａ−ｂで示すように上下動するようになっている。
【００３３】
また、原稿テーブル２４には図示しないサイドガイドが設けられており、このサイドガイドによって原稿束Ｐの幅方向（原稿搬送方向と直行する方向）の位置決めが行われるようになっている。
【００３４】
また、可動テーブル３４の近傍にはセットフィラー３５および原稿セットセンサ３６が設けられている。セットフィラー３５は、原稿テーブル２４に原稿束Ｐが載置されたときに破線で示す位置から実線で示す位置に移動し、原稿セットセンサ３６は、セットフィラー３５を検知した状態から未検知状態に変化すると、コントローラ１００に信号を出力するようになっている。この信号がＩ／Ｆ１０７を介してコントローラ１００から装置本体３０１の本体制御部１１１に出力されると、装置本体３０１側では原稿の読取りを行うための待機状態に移行するようになっている。
【００３５】
また、コントローラ１００は、原稿セットセンサ３６からの検知信号に基づいて原稿テーブル２４に原稿束Ｐが載置されたことを判断したときに、底板上昇モータ１０５を上昇させ、原稿束Ｐの最上面をピックアップローラ３７に接触させるようになっている。
【００３６】
ピックアップローラ３７は、ピックアップモータ１０１からの駆動力が図示しないカム機構を介して伝達されるとともに、ピックアップモータ１０１およびカム機構により矢印ｃ−ｄで示すように原稿束Ｐの上面に接触する位置と待避する位置の間で上下移動するようになっている。
【００３７】
また、可動テーブル３４の上方にはテーブル上昇センサ３８が設けられている。テーブル上昇センサ３８は、可動テーブル３４が矢印ａ方向に上昇してピックアップローラ３７が上昇すると、ピックアップローラ３７の位置を検知することにより、上昇可能な上限を検知するようになっている。
【００３８】
また、装置本体３０１側に設けられた操作部１０８のプリントキーが押下され、Ｉ／Ｆ１０７を介して本体制御部１１１からコントローラ１００に原稿給紙信号が送信されると、ピックアップローラ３７は、給紙モータ１０２の正転により回転駆動し、原稿テーブル２４上の数枚（理想的には１枚）の原稿を給紙するようになっている。
【００３９】
この給紙された原稿は、ピックアップローラ３７の下流側に設けられた給紙ベルト３９およびリバースローラ４０からなる分離給紙手段に搬送されるようになっている。
【００４０】
給紙ベルト３９は、給紙モータ１０２の正転駆動により給紙方向（時計方向）に回転駆動されるようになっている。リバースローラ４０は、内蔵された図示しないトルクリミッタの働きにより、給紙モータ１０２が正転駆動したときには、給紙方向と逆方向（時計方向）に回転駆動されるようになっている。このため、ピックアップローラ３７が数枚の原稿をピックアップした場合であっても、最上位の原稿とその下の原稿が分離されて、最上位の原稿のみが給紙される。
【００４１】
具体的には、リバースローラ４０は、給紙ベルト３９と予め設定された圧力で接しており、給紙ベルト３９と直に接触しているとき、または原稿１枚を介して接している状態では給紙ベルト３９の回転につられて反時計方向に連れ回りし、原稿が万が一２枚以上給紙ベルト３９とリバースローラ４０の間に進入した時は、連れ回り力がトルクリミッタの設定トルクよりも低くなり、本来の駆動方向である時計方向に回転し、余分な原稿を押し戻して重送を防止するようになっている。給紙ベルト３９とリバースローラ４０の作用により１枚に分離された原稿は給紙ベルト３９によって搬送されるようになっている。
【００４２】
給紙ベルト３９の下流側には突き当てローラ４１が設けられている。突き当てローラ４１は、駆動ローラ４１ａおよび従動ローラ４１ｂから構成され、給紙モータ１０２により回転駆動されるようになっている。
【００４３】
突き当てローラ４１は、給紙ベルト３９とリバースローラ４０の作用により１枚に分離された原稿に対してスキューの矯正をするとともに、スキュー補正した原稿をさらに下流側に搬送するようになっている。
【００４４】
すなわち、原稿の給紙時には給紙モータ１０２が停止しているため、突き当てローラ４１も停止した状態となっており、分離された原稿の先端は、突き当てローラ４１の上流側に設けられた突き当てセンサ４２によって検知された後、突き当てローラ４１に突き当てられるようになっている。
【００４５】
そして、突き当てセンサ４２が原稿の先端を検知してコントローラ１００に信号を出力すると、コントローラ１００は、突き当てセンサ４２の検知から予め定められた距離だけ給紙モータ１０２を駆動して給紙ベルト３９を周回移動させ、予め定められた一定量の撓みを持って原稿が突き当てローラ４１に押し当てられた状態にするようになっている。
【００４６】
また、コントローラ１００は、給紙モータ１０２の停止前にピックアップモータ１０１を回転させて、ピックアップローラ３７を原稿束Ｐの上面から退避させるようになっている。このとき、原稿が給紙ベルト３９の搬送力のみで送られることにより、原稿の先端が突き当てローラ４１の駆動ローラ４１ａおよび従動ローラ４１ｂのニップに進入して原稿のスキューが矯正される。
【００４７】
また、コントローラ１００は、スキューの矯正後に給紙モータ１０２を逆転駆動するようになっている。このとき、給紙モータ１０２によって突き当てローラ４１が回転駆動され、分離された原稿が中間ローラ４３に搬送される。中間ローラ４３は、駆動ローラ４３ａおよび従動ローラ４３ｂから構成されており、給紙モータ１０２によって駆動されるようになっている。
【００４８】
なお、給紙モータ１０２が逆転駆動されたとき、給紙モータ１０２の駆動力は、突き当てローラ４１と中間ローラ４３に伝達されるが、ピックアップローラ３７と給紙ベルト３９には伝達されないようになっている。
【００４９】
また、突き当てローラ４１の下流側には原稿幅センサ４４が設けられている。原稿幅センサ４４は、図３の手前側から奥側に複数個設けられ、搬送された原稿を検知してコントローラ１００に信号を出力するようになっている。コントローラ１００は、原稿幅センサ４４からの信号に基づいて原稿の幅方向（原稿搬送方向に直行する方向）のサイズを検知するようになっている。
【００５０】
また、原稿の搬送方向の長さは、原稿の突き当てセンサ４２からの検知信号に基づいてコントローラ１００が検知するようになっている。すなわち、突き当てセンサ４２が原稿の先端を検知してＯＮになり、その後、突き当てセンサ４２が原稿の後端を検知してＯＦＦになったときの給紙モータ１０２のパルス信号をコントローラ１００により計数することにより、原稿の長さが検知される。
【００５１】
また、中間ローラ４３の下流側には読取入口ローラ４５が設けられている。読取入口ローラ４５は、駆動ローラ４５ａおよび従動ローラ４５ｂから構成され、読取モータ１０３によって駆動される。
【００５２】
また、スリットガラス１３１の上面には、搬送される原稿をガイドするように断面略Ｕ字状に形成された白色の背景板４７が設けられている。
【００５３】
背景板４７の下流側には読取出口ローラ４８が設けられている。読取出口ローラ４８は、駆動ローラ４８ａおよび従動ローラ４８ｂから構成されている。
【００５４】
また、読取出口ローラ４８の下流側には第２読取ローラ４９が設けられている。第２読取ローラ４９は、駆動ローラから構成されている。また、第２読取ローラ４９の下流側には読取出口ローラ５０が設けられている。読取出口ローラ５０は、駆動ローラ５０ａおよび従動ローラ５０ｂから構成されている。読取入口ローラ４５、読取出口ローラ４８、第２読取ローラ４９および読取出口ローラ５０は、読取モータ１０３によって駆動されるようになっている。
【００５５】
また、第２読取ローラ４９の上方にはＣＣＤまたはＣＩＳ等のイメージセンサ５１が設けられている。イメージセンサ５１は、原稿の他方の面を読取るようになっている。
【００５６】
また、中間ローラ４３の下流側には入口センサ４６が設けられている。入口センサ４６は、原稿の先端を検知するとコントローラ１００に信号を出力するようになっている。
【００５７】
コントローラ１００は、入口センサ４６から信号が入力されると、読取入口ローラ４５の駆動ローラ４５ａおよび従動ローラ４５ｂのニップに原稿の先端が進入する前に原稿搬送速度を読取搬送速度と同速にするために、給紙モータ１０２の減速を開始するのと同時に、読取モータ１０３を正転駆動して中間ローラ４３を読取モータ１０３側の駆動系に接続するとともに、読取入口ローラ４５、読取出口ローラ４８、第２読取ローラ４９を駆動するようになっている。
【００５８】
また、突き当てローラ４１および中間ローラ４３の駆動によりレジスト部２６からターン部２７に原稿が搬送される際に、レジスト部２６での搬送速度を第１読取搬送部２８での搬送速度よりも高速に設定することにより、原稿をスリットガラス１３１に送り込む処理時間を短縮するとともに、原稿の紙間距離を短縮するようになっている。
【００５９】
読取入口ローラ４５の下流側にはレジストセンサ７１が設けられている。レジストセンサ７１は、原稿の先端を検知してコントローラ１００に信号を出力するようになっている。
【００６０】
コントローラ１００は、レジストセンサ７１から信号が入力されると、給紙モータ１０２を予め定められた搬送距離をかけて減速させて、スリットガラス１３１の手前で原稿を一時停止させるとともに、Ｉ／Ｆ１０７を介して本体制御部１１１にレジスト停止信号を送信するようになっている。また、コントローラ１００は、本体制御部１１１から読取開始信号を受信すると、レジスト停止していた原稿の先端がスリットガラス１３１に到達するまでに予め定められた搬送速度に立ち上がるように読取モータ１０３を増速して中間ローラ４３および読取入口ローラ４５により原稿を搬送させるようになっている。
【００６１】
原稿の先端がレジストセンサ７１に到達するより前にコントローラ１００が読取開始信号を受信した場合は、レジスト非停止読取動作となり、レジスト非停止読取動作においては、レジスト停止が行われず、読取搬送速度が維持されたまま読取りが行われるようになっている。
【００６２】
また、読取モータ１０３のパルスカウントにより算出された原稿の先端がスリットガラス１３１に到達するタイミングで、原稿表面の副走査方向有効画像領域を示すゲート信号が本体制御部１１１に対して出力されるようになっている。ゲート信号は、原稿の後端がスリットガラス１３１を抜けるまで継続して出力される。
【００６３】
片面原稿読取りの場合には、スリットガラス１３１を通過した原稿は、第２読取搬送部２９を経て排紙部３０に搬送されるようになっている。この際、排紙センサ７４が原稿の先端を検知すると、排紙モータ１０４の正転駆動により排紙ローラ７３が反時計方向に回転するようになっている。
【００６４】
また、コントローラ１００は、原稿の先端を排紙センサ７４により検知してから排紙モータ１０４のパルスをカウントし、排紙ローラ７３の駆動ローラ７３ａおよび従動ローラ７３ｂのニップから原稿の後端が抜ける直前に排紙モータ１０４の駆動速度を減速させることにより、排出される原稿がスタック部３１の外に飛び出さないようにしている。
【００６５】
一方、両面原稿読取りの場合には、コントローラ１００により、排紙センサ７４で原稿の先端を検知してからの読取モータ１０３のパルスがカウントされるとともに、読取モータ１０３のパルスカウントにより算出された原稿の先端がスリットガラス１３１に到達するタイミングで、原稿表面の副走査方向有効画像領域を示すゲート信号がイメージセンサ５１に対して出力されるようになっている。ゲート信号は、原稿の後端がイメージセンサ５１を抜けるまで継続して出力される。
【００６６】
なお、第２読取ローラ４９は白色となっている。これは、第２読取ローラ４９がイメージセンサ５１においてシェーディングデータを取得するための基準白部として供されるためである。また、イメージセンサ５１の下方には第２読取ローラ４９が設けられている。これは、イメージセンサ５１による読取り時に原稿の浮きを抑えるためである。
【００６７】
複写機２０の装置本体３０１内には、図３に示すように、キセノンランプやハロゲンランプ等からなる円筒形状の光源７７、反射ミラー７８ａ〜７８ｃ、集光レンズ７９、ＣＣＤ等のイメージセンサ８０からなる読取り部８１が設けられており、この読取り部８１によって読取られた画像情報は書込部８２によって感光体ドラム８３に照射されるようになっている。光源７７は、原稿面での照度分布を良好なものにするためのリフレクタ７７ａを備えている。なお、光源７７としては、キセノンランプやハロゲンランプに限らず、蛍光灯を用いることもできる。読取り部８１、スリットガラス１３１、フレーム１３２は、本発明における画像読取装置を構成している。
【００６８】
図５に示すように、感光体ドラム８３の周囲には、感光体ドラム８３とともに画像形成手段を構成する帯電装置８４と、レーザダイオード等から構成される書込部８２と、電位センサ８５と、現像装置８６と、転写ベルト８７と、クリーニング装置８８と、ＬＥＤ（Ｌｉｇｈｔ  Ｅｍｉｔｔｉｎｇ  Ｄｉｏｄｅ）等から構成される除電装置８９とが設けられている。帯電装置８４は暗中においてプラス電荷のコロナ放電をグリッドにより制御して感光体ドラム８３の表面を一定電位に帯電させるようになっている。
【００６９】
書込部８２は、一定電位に帯電された感光体ドラム８３上に画像情報を含んだレーザを照射することにより、感光体ドラム８３上のマイナス電荷を除去して静電潜像を形成するようになっている。電位センサ８５は、感光体ドラム８３上の電位を測定してプロセスコントロールによって補正を行うようになっている。すなわち、複写機２０は、レーザビームプリンタとして構成されている。
【００７０】
現像装置８６は、感光体ドラム８３上の電荷除去された部分にマイナスに帯電されたトナーを付着させて可視像を形成するようになっている。転写ベルト８７は、プラスのバイアスが印加されており、マイナスに帯電された可視像を記録紙（記録媒体）に転写して搬送するようになっている。
【００７１】
クリーニング装置８８は、クリーニングブレード８８ａを備えており、感光体ドラム８３に残ったトナーをクリーニングブレード８８ａにより掻き落とすようになっている。除電装置８９は、ＬＥＤを点灯させることにより感光体ドラム８３の残留電荷を除去して、次の記録紙に新たな画像を形成するための準備を行うものである。
【００７２】
これら一連の動作によりトナー画像が形成された記録紙は、定着装置９０に搬送され、定着装置９０において、熱と圧力によりトナー画像が記録紙に定着される。すなわち、複写機２０は、電子写真複写機として構成されている。
【００７３】
また、図２に示すように、装置本体３０１内にはそれぞれ異なるサイズの記録紙Ｓ１〜Ｓ５が収納された収納カセット９１〜９５が設けられている。収納カセット９１〜９５に収納された記録紙は、呼出しローラ９１ａ〜９５ａによって給紙された後、搬送方向に回転する給紙ローラ９１ｂ〜９５ｂ、および給紙ローラ９１ｂ〜９５ｂに摺接して分離阻止方向に回転するリバースローラ９１ｃ〜９５ｃによって分離された後、中継ローラ対９６、９７を介してレジストローラ対９８に搬送され、レジストローラ対９８によってタイミングを取られて感光体ドラム８３と転写ベルト８７の間の搬送路に搬送されるようになっている。
【００７４】
このように、複写機２０は、電子写真複写機、レーザビームプリンタとして構成されており、また、公衆通信網等との通信を行う通信部２７０（図４参照）を備えることによりファクシミリ装置としても構成されている。
【００７５】
以下、装置本体３０１の上部に設けられた操作表示部３０４の支持構造について説明する。
【００７６】
図１に示すように、装置本体３０１の上部には、利用者による入力操作および利用者への表示が行われる操作表示面３０４ａを有する操作表示部３０４が設けられている。操作表示部３０４は、支柱３０５、および支持アーム３０６等により装置本体３０１の上部に支持されている。操作表示面３０４ａは、入力装置のためのキー、表示のための液晶パネル等から構成されている。
【００７７】
図６、図７に示すように、支持アーム３０６の操作表示部３０４側の端部には、ヒンジとして構成された回動支点３０８を介して連結部材３０７が回動自在に設けられ、連結部材３０７は、操作表示部３０４の背面に接続されるようになっている。回動支点３０８は、例えばフリーストップヒンジから構成されており、これにより、支持アーム３０６に対する操作表示部３０４の垂直方向角度（水平軸周りの角度）を自在に設定し、操作表示部の仰角を変更することができる。
【００７８】
支柱３０５の下端部は、装置本体３０１の上面の前後方向に複数（本実施の形態では２つ）設けられた装置本体側接続部Ｃまたは装置本体側接続部Ｄの何れかに接続および固定することができるようになっている。支柱３０５の下端部は、装置本体側接続部Ｃまたは装置本体側接続部Ｄに対して、ネジ止め等の方法により固定されるようになっている。なお、図２の紙面手前側または図６の左方向のように、装置本体３０１の利用者が位置することが想定された正面側を装置本体３０１の前方向とし、その反対側（背面側）を装置本体３０１の後方向としている。操作表示部３０４は、支柱３０５と装置本体３０１との接続位置を装置本体側接続部Ｃまたは装置本体側接続部Ｄから選択することにより、前後方向に設置位置を移動可能となっており、図６のように、支柱３０５を装置本体３０１の装置本体側接続部Ｃに接続したときは操作表示部３０４が後方に位置し、図７のように、支柱３０５を装置本体３０１の装置本体側接続部Ｄに接続したときは操作表示部３０４が前方に位置することとなる。
【００７９】
連結部材３０７は、操作表示部３０４の背面の上下方向に複数（本実施の形態では２つ）設けられた操作表示部側接続部Ａまたは操作表示部側接続部Ｂの何れかに接続および固定することができるようになっている。連結部材３０７は、操作表示部側接続部Ａまたは操作表示部側接続部Ｂに対して、ネジ止め等の方法により固定されるようになっている。なお、図２や図６の上方向を装置本体３０１の上方向とし、その反対側を装置本体３０１の下方向としている。操作表示部３０４は、操作表示部３０４と連結部材３０７との接続位置を操作表示部側接続部Ａまたは操作表示部側接続部Ｂから選択することにより、上下方向（垂直方向）に設置位置を移動可能となっており、図６のように、連結部材３０７を操作表示部３０４の操作表示部側接続部Ａに接続したときは操作表示部３０４が上方に位置し、図７のように、連結部材３０７を操作表示部３０４の操作表示部側接続部Ｂに接続したときは操作表示部３０４が下方に位置することとなる。
【００８０】
これら支柱３０５、支持アーム３０６および連結部材３０７は、操作表示面３０４ａが装置本体３０１の正面側を向くように操作表示部３０４を支持する支持部材３０３を構成している。また、連結部材３０７の操作表部３０４の背面に接続する側の端部は、本発明における支持部材３０３の一端部に相当し、支柱３０５の下端部は、本発明における支持部材３０３の他端部に相当する。
【００８１】
図６のように、支柱３０５を装置本体３０１の装置本体側接続部Ｃに接続するとともに、連結部材３０７を操作表示部３０４の操作表示部側接続部Ａに接続したときは、操作表示部３０４が後方且つ上方に位置し、操作表示部３０４の水平軸上の回転、すなわち図面上の反時計回りの回転が装置本体３０１の外装の上面により規制されるようになっている。
【００８２】
図７のように、支柱３０５を装置本体３０１の装置本体側接続部Ｄに接続するとともに、連結部材３０７を操作表示部３０４の操作表示部側接続部Ｂに接続したときは、操作表示部３０４が前方且つ下方（低位置）に位置し、操作表示部３０４の水平軸上の回転が装置本体３０１の外装の前面により規制されるようになっている。
【００８３】
このように、支柱３０５と装置本体３０１との接続位置を装置本体側接続部Ｃまたは装置本体側接続部Ｄから選択するとともに、操作表示部３０４と連結部材３０７との接続位置を操作表示部側接続部Ａまたは操作表示部側接続部Ｂから選択することにより、操作表示部３０４の位置を前後方向および上下方向に移動することができるので、操作表示部３０４の操作性と視認性を向上することができる。特に、通常の立ち作業を考慮した位置と、車椅子等への着座姿勢を考慮した位置との間で操作表示部３０４の前後方向および上下方向の位置を切り替えることができる。
【００８４】
なお、支柱３０５と装置本体側接続部Ｃ、Ｄとの接続および固定、連結部材３０７と操作表示部側接続部Ａ、Ｂとの接続および固定は、本実施の形態ではネジ止め等の方法により行われるが、利用者やサービスマンにより簡易に作業できるものであれば他の方法であっても構わない。
【００８５】
以上のように、本実施の形態に係る複写機２０は、装置本体３０１と、装置本体３０１の上方に設けられ、利用者による入力操作および利用者への表示が行われる操作表示面３０４ａを有する操作表示部３０４と、一端部が操作表示部３０４の背面に接続されるとともに、他端部が装置本体３０１の上面に接続され、操作表示面３０４ａが装置本体３０１の正面側を向くように操作表示部３０４を支持する支持部材３０３と、を備え、操作表示部３０４の背面に、支持部材３０３の一端部と接続する操作表示部側接続部Ａ、Ｂを設けるとともに、装置本体３０１の上面に、支持部材３０３の他端部と接続する装置本体側接続部Ｃ、Ｄを設けたことを特徴とする。
【００８６】
この構成により、支持部材３０３と装置本体３０１との接続位置を装置本体側接続部Ｃまたは装置本体側接続部Ｄから選択するとともに、操作表示部３０４と支持部材３０３との接続位置を操作表示部側接続部Ａまたは操作表示部側接続部Ｂから選択することにより、操作表示部３０４の位置を移動することができるので、操作表示部３０４の操作性と視認性を向上することができる。
【００８７】
したがって、操作表示部３０４の操作性および視認性に優れる複写機２０を提供することができる。
【００８８】
また、新たな部材を追加したり部材の交換等が必要ないため、コストアップが発生することがない。
【００８９】
また、本実施の形態に係る複写機２０は、操作表示部３０４が装置本体３０１の前面より前方および後方の双方の位置を取り得るよう、装置本体側接続部Ｃ、Ｄを、装置本体３０１の上面の前後方向に複数設けたことを特徴とする。
【００９０】
この構成により、支持部材３０３と装置本体３０１との接続位置を装置本体側接続部Ｃまたは装置本体側接続部Ｄから選択することにより、操作表示部３０４が装置本体３０１の前面より前方および後方の双方の位置を取ることができるため、操作表示部３０４の操作性と視認性を向上することができる。
【００９１】
また、本実施の形態に係る複写機２０は、操作表示部側接続部Ａ、Ｂを、操作表示部３０４の背面の上下方向に複数設けたことを特徴とする。
この構成により、操作表示部３０４と支持部材３０３との接続位置を操作表示部側接続部Ａまたは操作表示部側接続部Ｂから選択することにより、操作表示部３０４の位置を上下方向に移動することができるので、操作表示部３０４の操作性と視認性を向上することができる。
【００９２】
また、本実施の形態に係る複写機２０は、操作表示部３０４が装置本体３０１の前面より前方に位置するときに、操作表示部３０４の下端部が装置本体３０１の上面より下方に位置するよう、操作表示部側接続部Ａ、Ｂを、操作表示部３０４の背面の上下方向に複数設けたことを特徴とする。
【００９３】
この構成により、操作表示部３０４と支持部材３０３との接続位置を操作表示部側接続部Ａまたは操作表示部側接続部Ｂから選択することにより、操作表示部３０４の下端部が装置本体３０１の上面より下方に位置することができるので、操作表示部３０４の操作性と視認性を向上することができる。
【００９４】
（第２の実施の形態）
本実施の形態では、操作表示部３０４の一部に弾性部材が設けられおり、その他の構成は第１の実施の形態と同様であるので、同様の構成には同一の符号を付して説明を省略する。
【００９５】
図８、図９に示すように、本実施の形態では、操作表示部３０４の下面の背面側と背面の下面側には、ゴム等の弾性部材３０９が装着されている。
【００９６】
図８のように、支柱３０５を装置本体３０１の装置本体側接続部Ｃに接続するとともに、連結部材３０７を操作表示部３０４の操作表示部側接続部Ａに接続したときは、操作表示部３０４が後方且つ上方に位置し、操作表示部３０４の水平軸上の回転、すなわち図面上の反時計回りの回転が装置本体３０１の上面により規制されることとなるが、操作表示部３０４が弾性部材３０９を介して装置本体３０１の上面に当接するので、操作表示部３０４が装置本体３０１の上面に直接衝突して破損することが防止される。
【００９７】
図９のように、支柱３０５を装置本体３０１の装置本体側接続部Ｄに接続するとともに、連結部材３０７を操作表示部３０４の操作表示部側接続部Ｂに接続したときは、操作表示部３０４が前方且つ下方（低位置）に位置し、操作表示部３０４の水平軸上の回転が装置本体３０１の前面により規制されることとなるが、操作表示部３０４が弾性部材３０９を介して装置本体３０１の前面に当接するので、操作表示部３０４が装置本体３０１の前面に直接衝突して破損することが防止される。
【００９８】
以上のように、本実施の形態に係る複写機２０は、支持部材３０３は、操作表示部３０４を水平軸周りに回動させて操作表示部３０４の仰角を変更する回動支点３０８を有し、操作表示部３０４の背面の下端部に弾性部材３０９を備え、操作表示部３０４を装置本体３０１の前面より前方に配置したときに、弾性部材３０９と装置本体３０１の前面とが当接することで操作表示部３０４の回動範囲を規制することを特徴とする。
【００９９】
この構成より、複雑な回動範囲規制機構を設けることなく簡単な構成で操作表示部３０４の回転範囲を規制することができる。
【０１００】
また、操作表示部３０４を装置本体３０１の前面より前方に配置したときに、操作表示部３０４の操作表示面３０４ａを下方向へ向けることができるため、利用者が着座した状態での操作性および視認性を向上することができる。
【０１０１】
また、本実施の形態に係る複写機２０は、支持部材３０３は、操作表示部３０４を水平軸周りに回動させて操作表示部３０４の仰角を変更する回動支点３０８を有し、操作表示部３０４の背面の下端部に弾性部材３０９を備え、操作表示部３０４を装置本体３０１の前面より後方に配置したときに、弾性部材３０９と装置本体３０１の上面とが当接することで操作表示部３０４の回動範囲を規制することを特徴とする。
【０１０２】
この構成より、複雑な回動範囲規制機構を設けることなく簡単な構成で操作表示部３０４の回転範囲を規制することができる。
【０１０３】
また、操作表示部３０４を装置本体３０１の前面より後方に配置したときに、操作表示部３０４の操作表示面３０４ａを上方向へ向けることができるため、利用者が起立した状態での操作性および視認性を向上することができる。
【０１０４】
（第３の実施の形態）
本実施の形態では、連結部材３０７がカバーで覆われるようになっており、その他の構成は第１の実施の形態と同様であるので、同様の構成には同一の符号を付して説明を省略する。
【０１０５】
図１０、図１１に示すように、本実施の形態では、操作表示部３０４の背面には、連結部材３０７を覆うカバー部材３１０が設けられている。カバー部材３１０は、上下反転させても操作表示部３０４の背面に取り付けることができる形状となっている。
【０１０６】
なお、本実施の形態においても、第２の実施の形態と同様に、操作表示部３０４の下面の背面側と背面の下面側に、弾性を有するゴム等の弾性部材３０９を装着した構成とすることができる。
【０１０７】
以上のように、本実施の形態に係る複写機２０は、支持部材３０３の一端部を覆うカバー部材３１０を操作表示部３０４の背面に備え、カバー部材３１０が、上下反転させた状態で操作表示部３０４の背面に装着可能なことを特徴とする。
【０１０８】
この構成により、新たな部材を準備することなく、カバー部材３１０を上下反転させて操作表示部３０４の背面に装着できるので、不要なコストアップを防止することができる。
【産業上の利用可能性】
【０１０９】
以上説明したように、本発明に係る画像形成装置は、操作表示部の操作性および視認性に優れるという効果を有し、利用者による入力操作および利用者への表示をする操作表示部を備える画像形成装置として有用である。
【符号の説明】
【０１１０】
２０  複写機（画像形成装置）
３０１  装置本体
３０３  支持部材
３０４  操作表示部
３０４ａ  操作表示面
３０５  支柱
３０６  支持アーム
３０７  連結部材
３０８  回動支点
３０９  弾性部材
３１０  カバー部材
Ａ、Ｂ  操作表示部側接続部
Ｃ、Ｄ  装置本体側接続部
【先行技術文献】
【特許文献】
【０１１１】
【特許文献１】特開２０００−０７１５５３号公報
【図１】
0005531633.tif 000002
【図２】
0005531633.tif 000003
【図３】
0005531633.tif 000004
【図４】
0005531633.tif 000005
【図５】
0005531633.tif 000006
【図６】
0005531633.tif 000007
【図７】
0005531633.tif 000008
【図８】
0005531633.tif 000009
【図９】
0005531633.tif 000010
【図１０】
0005531633.tif 000011
【図１１】
0005531633.tif 000012